(57)【要約】      （修正有）【課題】引き戸の安全性を高め、かつ引き戸にパッキン装置を確実に固定するパッキン装置付き引き戸を提供する。【解決手段】パッキン装置２０は引き戸１０の切欠部１２に取付けられる。このパッキン装置２０は断面Ｕ字状のパッキン装置本体２１と、パッキン装置本体２１の内部に設けられ、引き戸１０の係合レールに係合する係止部２３ａ、２３ｂとを有する。パッキン装置本体２１は切欠部１２の両側縁および突出部１１のうち段部１６側の部分１１ａを覆う。【選択図】図１
0003200072.tif 000002
【実用新案登録請求の範囲】
【請求項１】
カマ錠設置内の突出部と、この突出部から段部を介して引込む細長状の切欠部とを有する側部を含み、前記切欠部に長手方向に延びる係合レールが取付けられた引き戸と、
この引き戸の切欠部に設置された細長状のパッキン装置とを備え、
前記パッキン装置は、断面Ｕ字状のパッキン装置本体と、このパッキン装置本体の内部に設けられ、前記係合レールに係合する係止部とを有し、
前記パッキン装置のパッキン装置本体は前記切欠部の両側縁および前記突出部のうち段部側部分を覆うことを特徴とするパッキン装置付き引き戸。
【請求項２】
前記パッキン装置本体は、引き戸から離れた先端側軟質部分と引き戸側の基端側硬質部分とを有することを特徴とする請求項１記載のパッキン装置付き引き戸。
【請求項３】
前記係合レールは一対の係合レール部分からなり、各係合レール部分は所定間隔をおいて、前記切欠部に取付けられていることを特徴とする請求項１または２記載のパッキン装置付き引き戸。
【請求項４】
カマ錠設置用の突出部と、この突出部から段部を介して引込む細長状の切欠部とを有する側部を含み、前記切欠部に長手方向に延びる係合レールが取付けられた引き戸に設置される細長状のパッキン装置において、
前記パッキン装置は、断面Ｕ字状のパッキン装置本体と、このパッキン装置本体の内部に設けられ、前記係合レールに係合する係止部とを有し、
前記パッキン装置のパッキン装置本体は前記切欠部の両側縁および前記突出部のうち段部側部分を覆うことを特徴とするパッキン装置。
【請求項５】
前記パッキン装置本体は、引き戸から離れた先端側軟質部分と引き戸側の基端側硬質部分とを有することを特徴とする請求項４記載のパッキン装置。
【考案の詳細な説明】
【技術分野】
【０００１】
本考案は引き戸と、引き戸の切欠部に設置されたパッキン装置とを有するパッキン装置付き引き戸およびパッキン装置に関する。
【背景技術】
【０００２】
従来より引き戸の側部にパッキンを取付けたパッキン付き引き戸が知られている。このパッキン付き引き戸は、側部にパッキンが取付けられているため、相手建具材に対してパッキン付き引き戸が閉められるときに、相手建具材との間に形成される間隙をパッキンで埋めることができる。このため, このパッキン付き引き戸を閉める際、指等が挟まれて怪我が生じることを防止することができる。
【０００３】
一般に引き戸は、カマ錠設置用の突出部と、この突出部から段部を介して引込む切欠部とを有する側部を含んでおり、パッキンは引き戸の切欠部に設けられる。
【０００４】
ところで引き戸の突出部のうち切欠部側部分および切欠部の両側縁は鋭利な形状をもつとともに、一般に外部へ露出した状態となっているため、引き戸を操作する際、この突出部の切欠部側部分および切欠部の両側縁に手や指が接触すると手や指を傷付けることも考えられる。
【０００５】
またパッキンは引き戸の切欠部に設けられているが、パッキンをこの切欠部に堅固に取付けることも求められている。
【先行技術文献】
【特許文献】
【０００６】
【特許文献１】登録実用新案公報第３１６２９４７号
【考案の概要】
【考案が解決しようとする課題】
【０００７】
本考案は上記の点を考慮してなされたものであり、引き戸の側部に設けられたパッキン装置を有するパッキン装置付き引き戸であって、このパッキン装置により側部の安全を図ることができ、かつパッキン装置を堅固に取付けることができるパッキン装置付き引き戸およびパッキン装置を提供することを目的とする。
【課題を解決するための手段】
【０００８】
本発明は、カマ錠設置内の突出部と、この突出部から段部を介して引込む細長状の切欠部とを有する側部を含み、前記切欠部に長手方向に延びる係合レールが取付けられた引き戸と、この引き戸の切欠部に設置された細長状のパッキン装置とを備え、前記パッキン装置は、断面Ｕ字状のパッキン装置本体と、このパッキン装置本体の内部に設けられ、前記係合レールに係合する係止部とを有し、前記パッキン装置のパッキン装置本体は前記切欠部の両側縁および前記突出部のうち段部側部分を覆うことを特徴とするパッキン装置付き引き戸である。
【０００９】
本発明は、前記パッキン装置本体は、引き戸から離れた先端側軟質部分と引き戸側の基端側硬質部分とを有することを特徴とするパッキン装置付き引き戸である。
【００１０】
本発明は、前記係合レールは一対の係合レール部分からなり、各係合レール部分は所定間隔をおいて、前記切欠部に取付けられていることを特徴とするパッキン装置付き引き戸である。
【００１１】
本発明は、カマ錠設置用の突出部と、この突出部から段部を介して引込む細長状の切欠部とを有する側部を含み、前記切欠部に長手方向に延びる係合レールが取付けられた引き戸に設置される細長状のパッキン装置において、前記パッキン装置は、断面Ｕ字状のパッキン装置本体と、このパッキン装置本体の内部に設けられ、前記係合レールに係合する係止部とを有し、前記パッキン装置のパッキン装置本体は前記切欠部の両側縁および前記突出部のうち段部側部分を覆うことを特徴とするパッキン装置である。
【００１２】
本発明は、前記パッキン装置本体は、引き戸から離れた先端側軟質部分と引き戸側の基端側硬質部分とを有することを特徴とするパッキン装置である。
【考案の効果】
【００１３】
以上のように本考案によれば、パッキン装置により引き戸の側部を安全に覆うことができ、かつ側部にパッキン装置を引き戸に堅固に取付けることができる。
【図面の簡単な説明】
【００１４】
【図１】図１は、本考案によるパッキン装置付き引き戸を示す斜視図。
【図２】図２（ａ）は、パッキン装置の端部を示す斜視図であって、図２（ｂ）はその拡大図。
【図３】図３は、引き戸の突出部に設置されたカマ錠とパッキン装置を示す斜視図。
【図４】図４は、パッキン装置付き引き戸を示す正面図。
【図５】図５は、パッキン装置を示す正面図。
【図６】図６は、引き戸に設けられた係合レールを示す図。
【考案を実施するための形態】
【００１５】
以下、図１乃至図６を参照してパッキン装置付き引き戸およびパッキン装置の実施の形態について説明する。  
図１乃至図５に示すように、パッキン装置付き引き戸２は相手建具材１に対して摺動して離接し、相手建具材１に対して開閉するものである。このパッキン装置付き引き戸２は相手建具材１側に位置する側部１０Ａを有する引き戸１０と、この引き戸１０の側部１５に設置されたパッキン装置２０とを備えている。このうち引き戸１０の側部１５はカマ錠設置用の突出部１１と、この突出部１１から段部１６を介して内側へ引込む細長状の切欠部１２とを有し、この細長状の切欠部１２に長手方向に延びる係合レール１３が設けられている。またパッキン装置２０は引き戸１０の細長状の切欠部１２に設置され、切欠部１２に沿って細長状に延びている。
【００１６】
次に引き戸１０について、以下詳述する。  
引き戸１０は一段にスチールまたは木材からなっており、この引き戸１０の相手建具材１側の側部１０Ａは、上述のようにカマ錠１７を設置するための突出部１２と、この突出部１２から段部１６を介して内側へ引込む細長状の切欠部１２とを有している（図３および図４参照）。
【００１７】
また図４に示すように、引き戸１０の側部１０Ａのうち、細長状の切欠部１２にはこの切欠部１２に沿って長手方向に延びる係合レール１３が取付けられており、この係合レール１３は一対の係合レール部分１３ａ、１３ｂを有している。なお、係合レール１３は例えばアルミニウム製となっている。
【００１８】
次に引き戸１０の切欠部１２に設置されたパッキン装置２０について説明する。  
パッキン装置２０は断面Ｕ字状のパッキン装置本体２１と、このパッキン装置本体２１の内部に設けられ、係合レール１３の一対の係合レール部分１３ａ、１３ｂと各々係合する一対の係止部２３ａ、２３ｂとを有している。
【００１９】
このうちパッキン装置本体２１は引き戸１０から離れた先端側に位置する軟質部分２１ａと、引き戸１０側の基端側に位置する硬質部分２１ｂとを有し、軟質部分２１ａは軟質塩化ビニル（以下、軟質塩ビともいう）からなり、硬質部分２１ｂは硬質塩化ビニル（以下、硬質塩ビともいう）からなる。
【００２０】
このようにパッキン装置本体２１は先端側の軟質部分２１ａと、基端側の硬質部分２１ｂとを有するため、パッキン装置付き引き戸２を相手建具材１に対して閉める際、この軟質部分２１ａが相手建具材１と当接する。このことにより、相手建具材１とパッキン装置付き引き戸２との間に形成される間隙を埋めることができ、パッキン装置付き引き戸２を閉とする際、相手建具材１とパッキン装置付き引き戸２との間に、手または指が挟まれて怪我をすることがない。
【００２１】
またパッキン装置本体２１は基端側の硬質部分２１ｂを有しており、さらにパッキン装置本体２１の内部に設けられた一対の係止部２３ａ、２３ｂも、硬質部分２１ｂと同様に硬質塩ビからなっている。このため、硬質塩ビ製の一対の係止部２３ａ、２３ｂと、アルミニウム製の一対の係合レール部分１３ａ、１３ｂを含む係合レール１３とを堅固に係合させることができ、このことによりパッキン装置２０を引き戸１０の側部１０Ａに堅固に取り付けることができる。
【００２２】
またパッキン装置２０のパッキン装置本体２１内部に設けられた一対の係止部２３ａ、２３ｂは、パッキン装置本体２１の端部より長さＬだけ内方に引込んでいる（図２（ａ）（ｂ）参照）。
【００２３】
このように一対の係止部２３ａ、２３ｂがパッキン装置本体２１の端部より内方に引込んでいるため、引き戸１０の側部１０Ａにパッキン装置２０を取付ける際、一対の係止部２３ａ、２３ｂは引き戸１０の段部１６に当接する。この場合、一対の係止部２３ａ、２３ｂを段部１６に当接させることにより、一対の係止部２３ａ、２３ｂより上方のパッキン装置本体２１により突出部１１のうち段部１６側部分１１ａを覆うことができる（図１および図２（ａ）（ｂ）参照）。
【００２４】
また、同様にパッキン装置本体２１の硬質部分２１ｂにより、引き戸１０の切欠部１２の両側縁１２ａ、１２ｂを覆うことができる（図１および図４参照）。
【００２５】
ところで、係合レール１３を構成する係合レール部分１３ａ、１３ｂは、互いに当接した状態で引き戸１０の側部１０Ａのうち細長状の切欠部１２に取付けられている（図４参照）。
【００２６】
しかしながら、係合レール１３を構成する係合レール部分１３ａ、１３ｂを互いに所定間隔Ｇをおいて切欠部１２に取付けてもよい（図６参照）。図６に示すように、係合レール部分１３ａ、１３ｂを互いに所定間隔Ｇをおいて切欠部１２に取付けることにより、例えば引き戸１０の厚み（図６において左右方向の厚み）の大きさによらず、一対の係合レール部分１３ａ、１３ｂを引き戸１０の切欠部１２において、その両側縁１２ａ、１２ｂ側へ寄せて設置することができる。
【００２７】
次にこのような構成からなる本実施の形態の作用について説明する。  
まず、図１に示すように相手建具材１側に位置する側部１０Ａを有する引き戸１０を準備する。この場合、引き戸１０の側部１０Ａは、カマ錠設置用の突出部１１と、この突出部１１から段部１６を介して内側へ引込む細長状の切欠部１２とを有し、この細長状の切欠部１２に長手方向に延びるとともに一対の係合レール部分１３ａ、１３ｂを含む係合レール１３が取付けられている。
【００２８】
次にパッキン装置２０を引き戸１０の側部１０Ａに形成された細長状の切欠部１２に取付ける。この場合、またパッキン装置２０のＵ字状断面をもつパッキン装置本体２１を拡げて、切欠部１２に設けられた一対の係合レール部分１３ａ、１３ｂに、パッキン装置２０の一対の係止部２３ａ、２３ｂを嵌合させ、パッキン装置本体２１を閉じる。
【００２９】
このようにして、パッキン装置２０の基端部側の硬質部分２１ｂにより切欠部１２の両側縁１２ａ、１２ｂを覆うことができる。切欠部１２の両側縁１２ａ、１２ｂは鋭利な形状をもち、露出すると操作時に手または指を傷付けることも考えられる。このため、硬質部分２１ｂにより切欠部１２の両側縁１２ａ、１２ｂを覆うことにより、安全にパッキン装置付き引き戸２を操作することが可能となる。  
このとき引き戸１０の切欠部１２に取付けられたパッキン装置２０は、図１に示す位置にある。
【００３０】
次に図１に示すように、引き戸１０の切欠部１２に沿ってパッキン装置２０を上方へ引き上げる。この場合、パッキン装置２０の一対の係止部２３ａ、２３ｂは、引き戸１０側の一対の係合レール部分１３ａ、１３ｂに沿って上方へ摺動し、一対の係止部２３ａ、２３ｂが引き戸１０の段部１６に当接したところでパッキン装置２０は停止する。このとき、一対の係止部２３ａ、２３ｂはパッキン装置本体２１の端部より長さＬだけ内方に引込んでいるため、一対の係止部２３ａ、２３ｂが引き戸１０の段部１６に当接した際、パッキン装置本体２０の基端側の硬質部分２１ｂにより、突出部１１のうち段部１６側部分１１ａを覆うことができる。
【００３１】
一般に、突出部１１のうち段部１６側部分は、鋭利な形状をもち、露出すると操作時に手または指を傷付けることも考えられるため、硬質部分２１ｂにより突出部１１のうち段部１６側部分１１ａを覆うことにより、安全にパッキン装置付き引き戸２を操作することが可能となる。
【００３２】
またパッキン装置本体２１の一対の係止部２３ａ、３２ｂおよび硬質部分２１ｂは、いずれも硬質塩ビからなるため、一対の係止部２３ａ、２３ｂをステンレス製の一対の係合レール部分１３ａ、１３ｂに係合させ、かつ硬質部分２１ｂを切欠部１２に嵌合させることにより、引き戸１０にパッキン装置２０に容易かつ堅固に取付けることができる。
【００３３】
このようにして引き戸１０とパッキン装置２０とを含むパッキン装置付き引き戸２が得られる。
【００３４】
パッキン装置付き引き戸２の使用にあたっては、図１に示すように、相手建具材１に対してパッキン装置付き引き戸２を摺動させて開閉する。パッキン装置付き引き戸２を閉じる場合、パッキン装置付き引き戸２を相手建具材１に対して接近させる。その後、パッキン装置２０の軟質部分２１ａが相手建具材１に当接するため、相手建具材１と引き戸２との間の間隙を軟質部分２１ａにより埋めることができる。このためパッキン装置付き引き戸２を閉める際、手または指が挟まれて怪我をすることはない。
【００３５】
以上説明したように、本実施の形態によれば、引き戸１０の突出部１１のうち鋭利な形状をもつ段部１６側の部分１１ａ、および鋭利な形状をもつ切欠部１２の両側縁１２ａ、１２ｂをパッキン装置本体２０の硬質部分２１ｂにより覆うことができる。またパッキン装置本体２１の一対の係止部２３ａ、２３ｂおよび硬質部分２１はいずれも硬質塩ビからなるため、一対の係止部２３ａ、２３ｂをステンレス製の一対の係合レール部分１３ａ、１３ｂに係合させ、硬質部分２１ｂを切欠部１２に嵌合させることにより、引き戸１０にパッキン装置２０を容易かつ堅固に取付けることができる。
【符号の説明】
【００３６】
１              相手建具材
２              パッキン装置付き引き戸
１０            引き戸
１０Ａ          側部
１１            突出部
１２            切欠部
１２ａ、１２ｂ  両側縁
１３            係合レール
１３ａ、１３ｂ  係合レール部材
２０            パッキン装置
２１            パッキン装置本体
２１ａ          軟質部分
２１ｂ          硬質部分
２３ａ、２３ｂ  係止部
【図１】
0003200072.tif 000003
【図２】
0003200072.tif 000004
【図３】
0003200072.tif 000005
【図４】
0003200072.tif 000006
【図５】
0003200072.tif 000007
【図６】
0003200072.tif 000008